(57)【要約】【課題】営業終了後であっても、安定的にガラス扉や前枠が開かれた跡が確実に残り、それを容易に検知することが可能なパチンコ遊技機を提供する。【解決手段】基体としての前枠１２と、前枠１２に取り付けられ開閉可能なガラス扉１３とを備える遊技機であって、固有情報を記憶しているＲＦタグ２０４と、ガラス扉１３が閉状態である場合にＲＦタグ２０４が収容される収容空間２０３と、ガラス扉１３が開放される際に収容空間２０３に収容されたＲＦタグ２０４を破壊する破壊部２１３と、遊技機の電源が入である場合に供給される電力を利用して励磁される電磁力でＲＦタグを収容空間２０３外に保持するバネ２１１と、コイル２１２による電磁力が発生していない場合に、付勢力によりＲＦタグ２０４を収容空間２０３内に保持するバネ２１１とを備える。【選択図】図２
2008295572.tif 000002
【特許請求の範囲】
【請求項１】
基体と、前記基体に取り付けられ開閉可能な扉体とを備える遊技機であって、
前記基体および扉体のうちの一方には、
前記遊技機の固有情報を記憶しているＲＦタグを備え、
前記基体および扉体のうちの他方には、
前記扉体が閉状態である場合に前記ＲＦタグが収容される収容空間と、
前記扉体が閉状態から開状態に移行する間に、前記収容空間に収容された前記ＲＦタグと接触し破壊する破壊部とを備え、
前記基体および扉体のうちの一方には、さらに、
前記遊技機の電源が入である場合に供給される電力を利用して励磁される電磁力でＲＦタグを前記収容空間外に保持する電磁力発生手段と、
電磁力発生手段による電磁力が発生していない場合に、付勢力により前記ＲＦタグを前記収容空間内に保持する付勢部材とを備える
ことを特徴とする遊技機。
【発明の詳細な説明】
【技術分野】
【０００１】
本発明は、遊技機に関する。
【背景技術】
【０００２】
近年のパチンコ遊技機は、音や光、映像等の演出が複雑になされ、リーチや大当たりなど抽選の要素も加えられている。これら演出の制御や抽選はコンピュータにより行われており、当該コンピュータを構成する基板や、コンピュータからの命令により演出などを実行するための基板がパチンコ遊技機の裏側に取り付けられている。台島に取り付けられたパチンコ遊技機の前枠を開くと、パチンコ遊技機の裏側に取り付けられる基板が露出される。
【０００３】
このような基板に保持実行されるプログラムに変更を加えたり、基板の動作を狂わせる装置を取り付けることによって、遊技者に有利になるようにしようと、営業終了後のパチンコ店に忍び入るなどして、パチンコ遊技機に対して不正行為を働こうとする者がいる。
【０００４】
パチンコ店は、不正行為がなされたパチンコ遊技機で遊技されることを防ぎたい。そこで、パチンコ遊技機に対する不正行為を検知するための管理システムが提案されている。
【０００５】
例えば、従来、管理システムを利用して、パチンコ遊技機の前枠が開かれたか否かを常時監視する技術が提案されている（例えば、特許文献１参照）。
【０００６】
特許文献１に記載の技術は、パチンコ遊技機の前枠にＲＦタグを取り付け、外枠に一定の距離内にあるＲＦタグと通信可能なアンテナを取り付ける。外部のリーダライタユニット（以下、「Ｒ／Ｗユニット」ともいう。）は、アンテナを介してＲＦタグをポーリングする。前枠が開かれると、ＲＦタグとアンテナとは通信不能になる。このように通信不能であることを検知し、前枠が開かれたことを検知する。
【０００７】
パチンコ店の営業が終了した後には、一般にパチンコ遊技機の主電源は切られる。特許文献１に記載の技術は、パチンコ遊技機に電力を供給する予備電源を使って、ガラス扉が開かれたことを上述のように検知し、また、その情報を記憶媒体などに記録する。
【０００８】
特許文献１には、同様の技術により、回路基板が取り付けられるガラス扉が開かれたことを検知する技術も開示されている。
【特許文献１】特開２００４−８４２５８号公報
【発明の開示】
【発明が解決しようとする課題】
【０００９】
しかしながら、従来の管理システムによりガラス扉や前枠が開かれたことを検知するには、少なくともＲ／Ｗユニットに電力を供給し続ける必要があり、また管理システムが稼動している必要があるという問題がある。
【００１０】
すなわち、予備電源による電力供給が断たれた場合や、管理システムに不具合が発生した場合には、ガラス扉や前枠が開かれたとしても、その記録が残されない可能性がある。
【００１１】
本発明は、上記の問題を解決するためになされたもので、営業終了後であっても、ガラス扉や前枠が開かれた跡が確実に残り、ガラス扉や前枠が開かれたことを容易に検知することが可能なパチンコ遊技機の提供を目的とする。
【課題を解決するための手段】
【００１２】
上記目的を達成するために、本発明に係る遊技機は、基体と、前記基体に取り付けられ開閉可能な扉体とを備える遊技機であって、前記基体および扉体のうちの一方には、前記遊技機の固有情報を記憶しているＲＦタグを備え、前記基体および扉体のうちの他方には、前記扉体が閉状態である場合に前記ＲＦタグが収容される収容空間と、前記扉体が閉状態から開状態に移行する間に、前記収容空間に収容された前記ＲＦタグと接触し破壊する破壊部とを備え、前記基体および扉体のうちの一方には、さらに、前記遊技機の電源が入である場合に供給される電力を利用して励磁される電磁力でＲＦタグを前記収容空間外に保持する電磁力発生手段と、電磁力発生手段による電磁力が発生していない場合に、付勢力により前記ＲＦタグを前記収容空間内に保持する付勢部材とを備える。
【００１３】
このように、遊技機の電源が切である場合に、収容空間内にＲＦタグを配置し、遊技機の電源が入である場合に、収容空間外に配置する。収容空間内に配置されたＲＦタグは、扉が開かれると破壊部によって破壊される。そのため、パチンコ店の営業終了後のようにパチンコ遊技機の電源が切られた後に扉が開かれた場合には、破壊部でＲＦタグは確実に破壊される。また、正規の者が遊技機をメンテナンスするときなどパチンコ遊技機の電源が入である場合、扉が開かれてもＲＦタグは破壊されない。そして、ＩＣタグが破壊されたか否かは、Ｒ／ＷユニットをＲＦタグにかざし、またはＲ／ＷユニットがＲＦタグをポーリングすることによって容易に検知することができる。
【発明を実施するための最良の形態】
【００１４】
以下、本発明に係る実施の形態１を図面に沿って説明する。
【００１５】
図１は、本実施形態のパチンコ遊技機１００を示す斜視図である。
【００１６】
同図に示すように、パチンコ遊技機１００は、外枠１１と、前枠１２と、ガラス扉１３と、前枠１２に取り付けられる遊技盤１４と、開放検知装置２００とを備える。
【００１７】
外枠１１は、パチンコ遊技機１００の各構成要素を保持するための基礎となる枠体であり、矩形状の枠体となっている。外枠１１は、パチンコホールなど設置されている台島に直接固定される部材であり、台島と外枠１１のみとを固着することによりパチンコ遊技機１００が台島に設置される。
【００１８】
基体としての前枠１２は、遊技盤１４や、各種制御基盤などが直接的に、また取り付け用部材を介して間接的に取り付けられる部材である。また、前枠１２は、外枠１１の前端面左側とヒンジ１を介して取り付けられており、外枠１１に対して前枠１２が回動することにより開閉する扉である。
【００１９】
また、前枠１２の前面下部には遊技者が操作できる遊技球５を貯留するための上皿１６が設けられ、上皿の右下方には、遊技者が回転させることにより遊技球５の射出の可否を選択し、また、遊技球５の射出速度を変更するためのハンドル１８が設けられている。
【００２０】
ガラス扉１３は、前枠１２の前面にヒンジ２を介して装着される部材であり、前枠１２に対してガラス扉１３が回動することにより開閉する扉である。同図は、ガラス扉１３が開いた状態を示す。
【００２１】
このガラス扉１３には、円形孔状の窓部を背面から覆うようにガラス板が取り付けられている。
【００２２】
遊技盤１４は、遊技球５が転落する遊技領域を形成するための木製や樹脂製の部材であり、遊技球５を複雑に転落させるための釘１７や、大当たりを判定するためのトリガーとなる始動口１５や、大当たり遊技中に遊技球５を受け取るために開放される大入賞口１９などが取り付けられる部材である。
【００２３】
開放検知装置２００は、ガラス扉１３が開かれたことを検知する装置であり、扉体としてのガラス扉１３と基体としての前枠１２とに別れて備えられる。
【００２４】
図２は、開放検知装置２００の構成を示す断面図である。同図は、図３に示すようにパチンコ遊技機１００のガラス扉１３を閉めた状態で、図１に示す開放検知装置２００を拡大した断面図である。開放検知装置２００は、ガラス扉１３と前枠１２とに取り付けられる。
【００２５】
同図に示すように、開放検知装置２００は、ＲＦタグ２０４と、ソレノイド２０５と、保持部２０６とを有する筐体２０２と、破壊具２０１とを備える。筐体２０２は基体としての前枠１２に備えられる。また、破壊具２０１は扉体としてのガラス扉１３に備えられる。
【００２６】
ＲＦタグ２０４は、パチンコ遊技機１００の固有情報を記憶保持しているＩＣチップと、外部のＲ／Ｗユニットとの間で情報を含む電波を送受信するアンテナとを有する。ＲＦタグ２０４は、破壊を容易にするために脆弱部を備える。本実施の形態の脆弱部はミシン目２０７である。
【００２７】
保持部２０６は、ＲＦタグ２０４を一定の状態で先端に保持する。また、ＲＦタグ２０４を挟持することにより、着脱自在にＲＦタグ２０４を保持する。これにより、ＲＦタグ２０４を容易に交換することが可能になる。
【００２８】
ソレノイド２０５は、パチンコ遊技機１００の電源の入切に連動して、保持部２０６の先端に取り付けられるＲＦタグ２０４を異なる位置に配置させる器具であり、ケース２１０と、バネ２１１と、コイル２１２とを備える。
【００２９】
電磁力発生手段としてのコイル２１２は、パチンコ遊技機１００の電源が入である場合に供給される電力を利用して励磁される電磁力でＲＦタグ２０４を後述する収容空間（２０３）外に保持する。
【００３０】
付勢部材としてのバネ２１１は、コイル２１２による電磁力が発生していない場合に、付勢力によりＲＦタグ２０４を収容空間（２０３）内に保持する。
【００３１】
ケース２１０は、バネ２１１とコイル２１２とが収められる容器である。
【００３２】
破壊具２０１は、ガラス扉１３に取り付けられる部位であり、電源が切である場合にＲＦタグ２０４が収まる収容空間２０３と、ガラス扉１３が閉状態から開状態に移行する間に、収容空間２０３に収容されたＲＦタグ２０４と接触し破壊する破壊部２１３を有する。本実施の形態の破壊部２１３は、収容空間２０３を形成する壁の一部であり、扉体としてのガラス扉１３が開く時の移動方向の後方に位置する開口部近傍である。
【００３３】
次に、パチンコ遊技機１００の電源の入切に連動する開放検知装置２００の動作を図２と図４とを参照して説明する。
【００３４】
図２に示す開放検知装置２００は、パチンコ遊技機１００の電源が切の状態である。
【００３５】
パチンコ遊技機１００の電源が切である場合、ソレノイドのコイル２１２には電力が供給されず、電磁力は励磁されず、ソレノイド２０５は、保持部２０６の先端に取り付けられるＲＦタグ２０４を、バネ２１１の付勢力により筐体２０２から突出させ、収容空間２０３内に収まるように保持する。
【００３６】
ガラス扉１３が開けられると、破壊具２０１は図の矢印方向に移動する。破壊具２０１の収容空間２０３内に保持されたＲＦタグ２０４は、破壊具２０１の破壊部２１３と接触し、破壊部２１３と筐体２０２との間に挟まれる。そして、ガラス扉１３を開ける力により、ＲＦタグ２０４は、ミシン目２０７で切断される。
【００３７】
図４に示す開放検知装置２００は、パチンコ遊技機１００の電源が入の状態である。
【００３８】
パチンコ遊技機１００の電源が入である場合、ソレノイドのコイル２１２に電力が供給され、ソレノイドのコイル２１２はその電力を利用してバネ２１１の付勢力に抗する電磁力を励磁する。バネ２１１による付勢力に抗する電磁力によって、コイル２１２はＲＦタグ２０４を筐体２０２内部に没入させ、破壊具２０１の収容空間２０３外に保持する。
【００３９】
このように配置されたＲＦタグ２０４は、破壊具２０１の収容空間２０３外に保持されているため、ガラス扉１３が空けられても破壊部２１３と接触することはなく破壊されることはない。
【００４０】
このように、ソレノイド２０５は、パチンコ遊技機１００の電源の入切と連動してＲＦタグ２０４の配置を転換する。そのため、パチンコ遊技機１００の電源が切の場合には、ガラス扉１３が開かれると、ＲＦタグ２０４は破壊される。
【００４１】
パチンコ店の営業終了後には、パチンコ遊技機１００の電源が切られる。そのため、例えば、パチンコ店の営業が終了した後に、パチンコ遊技機１００に不正な行為をするために、パチンコ遊技機１００のガラス扉１３を開いた場合には、ＲＦタグ２０４は破壊される。
【００４２】
また、パチンコ遊技機１００の電源が入の場合には、ガラス扉１３が開かれても、ＲＦタグ２０４は破壊されない。
【００４３】
パチンコ店の営業中、パチンコ遊技機１００の電源は入っている。そのため、例えば、遊技中のパチンコ遊技機１００に釘１７に詰まった遊技球５を取り除くなどのために、パチンコ遊技機１００のガラス扉１３を開いた場合には、ＲＦタグ２０４は破壊されない。
【００４４】
したがって、営業終了後であっても、ガラス扉１３が開かれた跡が確実に残る。また、ＲＦタグ２０４が破壊されたか否かは、後述するに示すＲ／Ｗユニット（３１０）を各パチンコ遊技機１００にかざすことにより、容易に検知することができる。
【００４５】
なお、電源が切れている時にガラス扉１３が開かれた場合に、ＲＦタグ２０４はＲ／Ｗユニット３１０との間で通信が不可能なように破壊されればよい。例えば、ＲＦタグ２０４のアンテナの形状が歪められるなどである。
【００４６】
図５は、ＲＦタグ２０４の破壊を検知できるＲ／Ｗユニット３１０を示す図である。
【００４７】
Ｒ／Ｗユニット３１０は、電波を送受信する読取部３１１とＲＦタグ２０４の異常を検知する本体３１２とを備える。本体３１２は、図示しない記憶媒体を有しており、その記憶媒体にあらかじめ固有情報が格納登録されている。
【００４８】
利用者は、Ｒ／Ｗユニット３１０の電源を入れ、Ｒ／Ｗユニット３１０の読取部３１１をパチンコ遊技機１００にかざす。これにより、Ｒ／Ｗユニット３１０の本体３１２は、パチンコ遊技機１００のＲＦタグ２０４からの応答として読取部３１１が電波を受信した場合に、その電波に含まれる情報と固有情報とを照合することにより、ＲＦタグ２０４の破壊を検知する。具体的には、応答としての電波を受信しない場合、および応答として受信した電波に含まれる情報が固有情報と一致しない場合に、ＲＦタグ２０４が破壊されていると判定する。
【００４９】
また、本体３１２は、応答として受信した電波に含まれる情報が固有情報と一致する場合に、ＲＦタグ２０４が破壊されていないと判定する。
【００５０】
このように、応答として受信した電波に含まれる情報と固有情報とが照合される。そのため、不正行為をする者が、ＲＦタグを持参し、それによって破壊されたＲＦタグ２０４を取り替えたとしても、ＲＦタグ２０４は破壊されたと判断される。したがって、不正行為をする者が、ガラス扉１３が開かれたか否か判別困難なようにパチンコ遊技機の外見を復旧させた場合であっても、パチンコ店など正規の者により取り付けられたＲＦタグ２０４は破壊されたことが検知され、ガラス扉１３が開かれたことを確実に検知することが可能になる。
【００５１】
同図の本体３１２に示す「ＯＫ」は、ＲＦタグ２０４が破壊されていないと判定されたことを示す表示の一例である。このような表示により、利用者は検知されたＲＦタグ２０４の破壊を知ることが可能になる。
【００５２】
なお、破壊具２０１が基体としての前枠１２に備えられ、筐体２０２は扉体としてのガラス扉１３に備えられてもよい。
【００５３】
なお、開放検知装置２００は、基体としての外枠１１と扉体としての前枠１２とに別れて備えられ、前枠１２が空けられたことを検知してもよい。
【００５４】
図６は、パチンコ遊技機１００の前枠１２を背面方向から示す斜視図である。
【００５５】
同図に示すように、パチンコ遊技機１００の前枠１２の背面には、装飾ランプや液晶ディスプレイによる表示制御をする表示サブ基板１０５と、各種音声の出力制御をする音声基板１０６と、入賞時におけるパチンコ遊技機の動作等を含むパチンコ遊技機の主要な動作を制御する主基板１０７と、パチンコ球の払い出し動作を制御する払出基板１０８と、各基板等に電源を供給する電源基板１０９とを含む各種基板が透明な基板ケースに収納された状態で取り付けられている。
【００５６】
台島に設置されたパチンコ遊技機１００では、前枠１２を扉のように開けることにより、パチンコ遊技機１００の背部が露出され、前枠１２に取り付けられる基板に変更を加えることが可能となる。
【００５７】
図７は、パチンコホールの台島３００に取り付けられているパチンコ遊技機１００の前枠１２を開けた状態を示す斜視図である。
【００５８】
図７に示す開放検知装置２００は、基体としての外枠１１に破壊具（２０１）を備え、扉体としての前枠１２に筐体（２０２）を備える。開放検知装置２００の詳細な構成は、図２を参照して説明した開放検知装置２００と同様であるため、ここでの説明は省略する。また、図６に示す開放検知装置２００を利用した前枠１２が開かれたことを検知するためのＲ／Ｗユニットの構成は図５を参照して説明したＲ／Ｗユニット３１０と同様であり、その処理も上述のものと同様であるため、ここでの説明は省略する。
【００５９】
これにより、パチンコ遊技機１００の電源が切れている間に前枠１２が開かれた場合、確実にＲＦタグが破壊される。また、前枠１２が開かれたことを容易に検知することが可能になる。
【００６０】
なお、破壊具（２０１）が扉体としての前枠１２に備えられ、筐体（２０２）が基体としての外枠１１に備えられてもよい。
【００６１】
なお、ＲＦタグの破壊は複数のパチンコ遊技機と通信可能なリーダにより検知されてもよい。高周波帯で通信するＲＦタグにより通信可能範囲は広がるため、このようなＲＦタグにより実現できる。例えば、リーダが定期的にＲＦタグと通信し、ＲＦタグの破壊を検知した場合に、ブザーなどにより通知するとよい。これにより、不正の検知に掛かる手間を減らすことが可能になる。
【図面の簡単な説明】
【００６２】
【図１】本実施形態のパチンコ遊技機を示す斜視図。
【図２】開放検知装置の構成を示す断面図。
【図３】ガラス扉を開けた状態のパチンコ機を示す斜視図。
【図４】パチンコ遊技機の電源が入である場合の開放検知装置の状態を示す図。
【図５】ＲＦタグの破壊を検知できるＲ／Ｗユニットを示す図。
【図６】パチンコ遊技機の前枠を背面方向から示す斜視図。
【図７】パチンコホールの台島に取り付けられているパチンコ遊技機の前枠を開けた状態を示す斜視図。
【符号の説明】
【００６３】
１００…パチンコ遊技機、１１…外枠、１２…前枠、１３…ガラス扉、２００…開放検知装置、２０１…破壊具、２０２…筐体、２０３…収容空間、２０４…ＲＦタグ、２０５…ソレノイド、２０６…保持部、２１０…ケース、２１１…バネ、２１２…コイル、２１３…破壊部
【図１】
2008295572.tif 000003
【図２】
2008295572.tif 000004
【図３】
2008295572.tif 000005
【図４】
2008295572.tif 000006
【図５】
2008295572.tif 000007
【図６】
2008295572.tif 000008
【図７】
2008295572.tif 000009